(57)【特許請求の範囲】
【請求項１】
ケーシング(1)の上部内壁(1a)に設けられ磁性体(2)を磁気吸引する磁石(3)と、前記ケーシング(1)の下部に形成された開口(1b)と、前記開口(1b)の内側に設けられた受け皿(5)に接続されたストッパ(4a)を持った底板(4)と、前記底板(4)を前記ケーシング(1)に接続するための帯体(6)とを備え、外部衝撃により前記磁性体(2)が落下して前記受け皿(5)に乗り、磁性体(2)の重みにより受け皿(5)が下がることによって前記ストッパ(4a)が引込み底板(4)が落下し、前記帯体(6)が前記ケーシング(1)外に吊り下げられる構成としたことを特徴とするショックセンサ。
【発明の詳細な説明】
【０００１】
【発明の属する技術分野】
本発明は、ショックセンサに関し、特に、電線に積った雪と強風によって発生する電線の揺動、又は、雪が落下した後の電線の揺動による衝撃の有無を電源を用いることなく表示するための新規な改良に関する。
【０００２】
【従来の技術】
従来、用いられていたこの種のギャロッピング（すなわち、電線に積った雪が強風によって発生する電線が揺れ、鉄塔に衝撃を与えること）及びスリートジャンプ（電線に積った雪が落下し、電線がはねた時に鉄塔に衝撃を与えること）の発生の有無の検出には、作業者が定期的に鉄塔を見廻って鉄塔に衝撃が加わった痕跡があるか否かを探していた。
【０００３】
【発明が解決しようとする課題】
従来のギャロッピング及びスリートジャンプの検出方法は、以上のように構成されていたため、次のような課題が存在していた。すなわち、作業者が山奥にある各鉄塔に近付き、直接目で確認することは、雪深い状態では大変な労苦を伴うものであった。
【０００４】
本発明は、以上のような課題を解決するためになされたもので、特に、ギャロッピング及びスリートジャンプの発生を鉄塔からはるかに離れた位置からでも確認することができるようにしたショックセンサを提供することを目的とする。
【０００５】
【課題を解決するための手段】
本発明によるショックセンサは、ケーシングの上部内壁に設けられ磁性体を磁気吸引する磁石と、前記ケーシングの下部に形成された開口と、前記開口の内側に設けられた受け皿に接続したストッパを持った底板と、前記底板を前記ケーシングに接続するための帯体とを備え、外部衝撃により前記磁性体が落下し前記受け皿に乗ることにより、磁性体の重みにより受け皿が下がりストッパが引込み、前記帯体が前記ケーシング外に吊り下げられる構成である。
【０００６】
【発明の実施の形態】
以下、図面と共に本発明によるショックセンサの好適な実施の形態について説明する。
まず、図１から図３において符号１で示されるものは全体形状が箱形をなし下部に開口２を有するケーシングであり、このケーシング１の上部内壁１ａには鋼球等からなる磁性体２を磁気吸引するための磁石３が設けられている。
前記開口１ｂの内側には、受け皿５に接続され板ばねよりなるストッパ４ａを有する底板４が載置されており、このストッパ４ａは上方の前記磁性体２が落下し受け皿５に乗ることによってこの重さで曲折しこの開口１ｂからはずれて底板４が下方に落下できるような構成である。
【０００７】
前記底板４上には、前述の全体形状がほぼ半球状をなす受け皿５が接続されていると共に、前記上部内壁１ａに一端６ａが接続され旗の作用をなす色付きの帯体６の他端６ｂは前記底板４に接続されている。
【０００８】
次に、動作について述べる。まず、図１のように、帯体６をケーシング１内で縮ませた状態で内設し、このケーシング１を電線の鉄塔（図示せず）に取付け、電線に積雪が発生して、前述のギャロッピング及びスリートジャンプが発生した場合、それによって生じる外部衝撃によって磁性体２が磁石３から離れて下方に落下すると、図２で示すように、磁性体２の重さにより受け皿５が下がりストッパ４ａが曲折して内側に引込み、底板４はケーシング１の開口１ｂから下方へ落下する。同時に、図４に示すように、帯体６も下方に吊下げられた状態となってケーシング１外に出るため、この帯体６の有無を鉄塔から離れた位置から見ることにより、ギャロッピング及びスリートジャンプ発生の有無を確認することができる。
【０００９】
また、図５及び図６は図１〜図４における底板４とストッパ４ａの他の形態を示すもので、底板４が中空状となり、その中空部５ａ内に前記受け皿５の支持棒５ａがばね５ｂを介して作動自在に設けられている。この支持棒５ａの下端には軸支部５ｃを介して左右方向に一対のアーム３０，３１が前記中空部５ａ内に設けられ、この各アーム３０，３１が前記ストッパ４ａを構成している。
従って、前述の状態で、受け皿５上に磁性体２が落下すると、その重みによって図６で示すように、各アーム３０が曲折し、各アーム３１が矢印の方向に引込み、底板４が開口１ｂからはずれて下方へ落下し、帯体６が垂れ下がって表示される。
【００１０】
また、図７及び図８は他の実施の形態を示すもので、底板４の突出部５ｅに受け皿５の基部５ｆが軸支部３５を介して軸支されており、この基部５ｅの下端には長手形状のストッパ４ａが軸支部３６を介して作動自在に軸支されている。
従って、前述の状態で、受け皿５上に磁性体２が落下して乗ると、図８で示すように、その重みで受け皿５が回動し、ストッパ４ａが内方へ引込まれて底板４が下方へ落下する。
【００１１】
さらに、図９及び図１０は、他の実施の形態を示すもので、底板４がほぼ断面Ｕ状に形成され、この底板４の端部の軸支部４０には、爪状のストッパ４ａを有する受け皿５が回動自在に設けられ、この軸支部４０に設けられたトーションばね４１の一端４１ａはこの受け皿５に係合し、その他端４１ｂは底板４の底面４ｇに係合している。また、前記ストッパ４ａはケーシング１の開口１ａの段部１ａＡに係合している。
従って、前述の状態で、磁性体２が受け皿５上に落下すると、図１０で示すように、トーションばね４１のばね力に抗して受け皿５が回動するため、ストッパ４ａが段部１ａＡからはずれ、底板４が下方へ落下する。
【００１２】
【発明の効果】
本発明によるショックセンサは、以上のように構成されているため、次のような効果を得ることができる。すなわち、ギャロッピング又はスリートジャンプによる外部衝撃によって落下する磁性体によりストッパを解除させて底板を落下させ、帯体を吊下げるようにしたため、鉄塔からはるかに離れた位置から鉄塔への衝撃の有無を確認することができ、鉄塔の保守作業を極めて容易に行うことができる。
【図面の簡単な説明】
【図１】本発明によるショックセンサを示す断面構成図である。
【図２】図１の要部を示す構成図である。
【図３】図２の動作状態を示す構成図である。
【図４】図１の動作図である。
【図５】図１の他の形態を示す構成図である。
【図６】図５の動作図である。
【図７】図１の他の形態を示す構成図である。
【図８】図７の動作図である。
【図９】図１の他の形態を示す構成図である。
【図１０】図９の動作図である。
【符号の説明】
１    ケーシング
１ａ    上部内壁
２    磁性体
１ｂ    開口
３    磁石
４    底板
４ａ    ストッパ
５    受け皿
６    帯体
【図１】
0004205205.tif 000002
【図２】
0004205205.tif 000003
【図３】
0004205205.tif 000004
【図４】
0004205205.tif 000005
【図５】
0004205205.tif 000006
【図６】
0004205205.tif 000007
【図７】
0004205205.tif 000008
【図８】
0004205205.tif 000009
【図９】
0004205205.tif 000010
【図１０】
0004205205.tif 000011